(57)【要約】【課題】定着処理部を通過して排出されるときの定着後の被記録材をベルト部材から安定して剥離させることができる定着装置等を提供する。【解決手段】定着装置は、無端状のベルト部材と、ベルト部材の内周面に接触するよう固定した状態で配置される固定部材と、ベルト部材を加熱する加熱手段と、ベルト部材をその外周面から固定部材に押し付けて未定着画像が形成された被記録材を通過させる定着処理部を形成したときに弾性変形する弾性表面層を有するとともに回転駆動する押圧ロールにて少なくとも構成される加圧部材とを備え、固定部材は、ベルト部材を介して加圧部材の押圧ロールと接触する接触部分の当該押圧ロールの回転方向における中心が、押圧ロールの回転中心よりも定着処理部の入口側にずれた位置に存在するよう配置されている。【選択図】図４
2014228765.tif 000002
【特許請求の範囲】
【請求項１】
無端状のベルト部材と、
前記ベルト部材の内周面に接触するよう固定した状態で配置される固定部材と、
前記ベルト部材を加熱する加熱手段と、
前記ベルト部材をその外周面から前記固定部材に押し付けて未定着画像が形成された被記録材を通過させる定着処理部を形成したときに弾性変形する弾性表面層を有するとともに回転駆動する押圧ロールにて少なくとも構成される加圧部材と
を備え、
前記固定部材は、前記定着ベルトを介して前記加圧部材の押圧ロールと接触する接触部分の当該押圧ロールの回転方向における中心が、前記押圧ロールの回転中心よりも前記定着処理部の入口側にずれた位置に存在するよう配置されていることを特徴とする定着装置。
【請求項２】
前記固定部材の少なくとも前記接触部分が、前記押圧ロールの曲面からなる周面と対応する曲面形状で形成されている請求項１に記載の定着装置。
【請求項３】
未定着画像を被記録材に形成する画像形成手段と、
前記画像形成手段で形成された未定着画像を被記録材に定着させる請求項１又は２に記載の定着装置と
を備えていることを特徴とする画像形成装置。
【発明の詳細な説明】
【技術分野】
【０００１】
この発明は、定着装置及び画像形成装置に関するものである。
【背景技術】
【０００２】
近年、トナー像等の未定着画像を記録用紙等の被記録材に定着する定着装置としては、例えば以下に例示する定着装置が知られている。
【０００３】
すなわち、所定の経路に沿って移動する無端状のベルト（定着ベルト）と、ベルトに熱を供給する発熱源を備え、ベルトを張架して支持する第１の支持部材（加熱ローラ）と、回転不能に固定配置され、第１の支持部材とともにベルトを張架して支持し、発熱源を備えない第２の支持部材（加圧部材）と、ベルトを介して第２の支持部材に圧接し、第２の支持部材とともにベルトを挟むニップ部を形成する回転体（加圧ローラ）を有し、第２の支持部材は、回転体に対向し所定幅をもつ対向面とその対向面のベルトの移動方向の上流側端部及び下流側端部にそれぞれ形成された湾曲部を有し、各湾曲部がニップ部から連続し、かつ、対向面が平面状の底面を備えている定着装置が知られている（特許文献１）。特許文献１には、この定着装置によれば、印刷媒体の搬送方向の先端部における定着後の分離に必要な余白幅を、縁無し印刷というニーズに対応できる程度の幅に抑えることが可能であることが示されている。
【０００４】
また、耐熱性ベルトと、耐熱性ベルトの内側もしくは外側に配置されている少なくとも１つの熱源と、耐熱性ベルトと対向当接して記録シートを挟持搬送可能な加圧部材（加圧ローラ）を備え、耐熱性ベルトには、その内面側に該耐熱性ベルトと接触可能な耐熱性弾性部材が設けられ、その耐熱性弾性部材と加圧部材との圧接により定着ニップ部が形成される定着装置が知られている（特許文献２）。特許文献２には、この定着装置によれば、定着温度までの立ち上がり時間を短縮でき、シートの挟持搬送力を確保しながら定着に必要なニップ幅も確保できることによりベルトの挙動が不安定になることによる異常画像の発生を防止できることが示されている。
【先行技術文献】
【特許文献】
【０００５】
【特許文献１】特開２００７−１４０５６２号公報
【特許文献２】特開２００４−５３６１８号公報
【発明の概要】
【発明が解決しようとする課題】
【０００６】
この発明は、無端状のベルト部材が固定部材に接触して配置されるとともに加熱手段により加熱され、加圧部材の回転駆動可能な押圧ロールがそのベルト部材を固定部材に押し付けて定着処理部を形成する形式の定着装置として、定着処理部を通過して排出されるときの定着後の被記録材をベルト部材から安定して剥離させることができる定着装置を提供し、またその定着装置を用いた画像形成装置を提供するものである。
【課題を解決するための手段】
【０００７】
この発明（Ａ１）の定着装置は、
無端状のベルト部材と、
前記ベルト部材の内周面に接触するよう固定した状態で配置される固定部材と、
前記ベルト部材を加熱する加熱手段と、
前記ベルト部材をその外周面から前記固定部材に押し付けて未定着画像が形成された被記録材を通過させる定着処理部を形成したときに弾性変形する弾性表面層を有するとともに回転駆動する押圧ロールにて少なくとも構成される加圧部材と
を備え、
前記固定部材は、前記定着ベルトを介して前記加圧部材の押圧ロールと接触する接触部分の当該押圧ロールの回転方向における中心が、前記押圧ロールの回転中心よりも前記定着処理部の入口側にずれた位置に存在するよう配置されていることを特徴とするものである。
【０００８】
この発明（Ａ２）の定着装置は、上記発明Ａ１の定着装置において、前記固定部材の少なくとも前記接触部分が、前記押圧ロールの曲面からなる周面と対応する曲面形状で形成されているものである。
【０００９】
また、この発明（Ｂ１）の画像形成装置は、未定着画像を被記録材に形成する画像形成手段と、前記画像形成手段で形成された未定着画像を被記録材に定着させる上記発明Ａ１又はＡ２のいずれかの定着装置とを備えていることを特徴とするものである。
【発明の効果】
【００１０】
上記発明Ａ１の定着装置によれば、定着処理部を通過して排出されるときの定着後の被記録材をベルト部材から安定して剥離させることができる。
【００１１】
上記発明Ａ２の定着装置では、その発明の構成を有しない場合に比べて、定着処理部を形成する際の加圧部材における押圧ロールの弾性表面層の弾性変形量が少なくなり、その弾性表面層の耐久性が向上する。
【００１２】
上記発明Ｂ１の画像形成装置によれば、定着装置において定着処理部を通過して排出されるときの定着後の被記録材がベルト部材から安定して剥離される。
【図面の簡単な説明】
【００１３】
【図１】実施の形態１等に係る定着装置を用いた画像形成装置の概要を示す説明図である。
【図２】図１の画像形成装置における定着装置の正面側から見たときの概要を示す説明図である。
【図３】図２の定着装置の側面側から見たときの概要を示す説明図である。
【図４】図２の定着装置における固定部材の配置に関する構成を拡大して示す説明図である。
【図５】図２の定着装置において加圧ロールを第２の位置に変位したときの状態を示す説明図である。
【図６】図２の定着装置を用いて行った評価試験における固定部材の配置に関する構成（条件設定）を拡大して示す説明図である。
【図７】評価試験の条件及び結果を示す図表である。
【図８】評価試験におけるニップ圧力の測定結果を示すグラフ図である。
【図９】実施の形態２に係る定着装置の正面側から見たときの概要を示す説明図である。
【図１０】図９の定着装置の側面側から見たときの概要を示す説明図である。
【図１１】実施の形態３に係る定着装置の正面側から見たときの概要を示す説明図である。
【図１２】図１１の定着装置の側面側から見たときの概要を示す説明図である。
【図１３】他の構成からなる固定部材を適用した定着装置の要部を拡大して示す説明図である。
【図１４】図１３の固定部材の構成を拡大して示す説明図である。
【発明を実施するための形態】
【００１４】
以下、この発明を実施するための形態（以下「実施の形態」という）について図面を参照しながら説明する。
【００１５】
［実施の形態１］
図１から図３は、実施の形態１に係る定着装置を用いた画像形成装置を示すものである。図１はその画像形成装置の全体の概要を示し、図２はその定着装置を正面側から見たときの概要を示し、図３はその定着装置を側面側（用紙出口側）から見たときの概要を示している。
【００１６】
＜画像形成装置の構成＞
実施の形態１に係る画像形成装置１は、例えばカラープリンタとして構成されたものである。この画像形成装置１は、図１に示されるように、未定着画像の一例としてのトナー像を記録用紙９に形成する画像形成手段２と、画像形成手段２で形成されたトナー像を記録用紙９に定着させる定着装置５と、その画像形成手段２、定着装置５等の動作を制御する制御装置３等を備えている。図１中の符号１ａは画像形成装置の筐体を示し、一点鎖線は筐体１ａの内部において記録用紙９が搬送される主な搬送経路を示す。
【００１７】
画像形成手段２は、現像剤を構成するトナーで現像されるトナー像を形成する複数の作像装置１０と、各作像装置１０で形成されたトナー像をそれぞれ一次転写により保持して最終的に記録用紙９に二次転写する二次転写位置まで搬送する中間転写装置２０と、中間転写装置２０の二次転写位置に供給すべき所要の記録用紙９を収容して搬送する給紙装置４０とで構成されている。
【００１８】
作像装置１０は、イエロー（Ｙ）、マゼンタ（Ｍ）、シアン（Ｃ）及びブラック（Ｋ）の４色のトナー像を電子写真方式によりそれぞれ専用に形成する４つの作像装置１０Ｙ，１０Ｍ，１０Ｃ，１０Ｋで構成されている。この４つの作像装置１０（Ｙ，Ｍ，Ｃ，Ｋ）は、例えばほぼ水平方向に一列に並べた状態で配置されており、また、扱う現像剤の種類（色）が異なる点を除けば、以下に示すようにほぼ共通した構成のものである。
【００１９】
すなわち、各作像装置１０（Ｙ，Ｍ，Ｃ，Ｋ）は、矢印Ａで示す方向に回転する感光ドラム１１と、感光ドラム１１の周面（像保持面）を所要の電位に帯電させる帯電装置１２と、感光ドラム１１の帯電された周面に画像の入力情報（信号）に基づく光を照射して静電潜像を形成する露光装置１３と、その静電潜像を対応する色（Ｙ，Ｍ，Ｃ，Ｋ）の現像剤のトナーで現像してトナー像にする現像装置１４（Ｙ，Ｍ，Ｃ，Ｋ）と、その各トナー像を中間転写装置２０に転写するロール形態等の一次転写装置１５と、一次転写後に感光ドラム１１の像保持面に残留して付着するトナー等の付着物を取り除いて清掃するドラム清掃装置１７等を備えている。
【００２０】
中間転写装置２０は、各作像装置１０（Ｙ，Ｍ，Ｃ，Ｋ）の下方の位置に存在するように配置されている。この中間転写装置２０は、感光ドラム１１と一次転写装置１５（一次転写ロール）の間となる一次転写位置を通過しながら矢印Ｂで示す方向に回転する中間転写ベルト２１と、中間転写ベルト２１をその内周面から所望の状態に保持して回転自在に支持する複数のベルト支持ロール２２ａ〜２２ｆと、中間転写ベルト２１上のトナー像を記録用紙９に二次転写させるロール形態の二次転写装置２５と、二次転写装置２５を通過した後に中間転写ベルト２１の外周面に残留して付着するトナー、紙粉等の付着物を取り除いて清掃するベルト清掃装置２７等を備えている。複数のベルト支持ロール２２ａ〜２２ｆのうちベルト支持ロール２２ａは駆動ロールとして構成され、ベルト支持ロール２２ｃは張力付与ロールとして構成されている。二次転写装置２５は、中間転写ベルト２１をベルト支持ロール２２ｅに押し付けて二次転写部（二次転写位置）を構成している。
【００２１】
給紙装置４０は、中間転写装置２０及び二次転写装置２５の下方側の位置に存在するように配置されている。この給紙装置４０は、所望のサイズ、種類等の記録用紙９を積載した状態で収容する単数（又は複数）の用紙収容体４１と、用紙収容体４１から記録用紙９を１枚ずつ送り出す送出装置４２とで構成されている。この給紙装置４０と中間転写装置２０の二次転写位置（中間転写ベルト２１と二次転写装置２５の接触部）との間には、給紙装置４０から送り出される記録用紙９を二次転写位置まで搬送する複数の用紙搬送ロール対４３ａ〜４３ｃや図示しない搬送ガイド材で構成される給紙搬送路が設けられている。二次転写位置の直前の位置に配置される用紙搬送ロール対４３ｃは、例えば記録用紙９の搬送時期を調整するロール（レジストロール）として構成されている。
【００２２】
また、中間転写装置２０の二次転写部と定着装置５との間には、中間転写ベルト２１から剥離されて送り出される二次転写後の記録用紙９を定着装置５まで搬送するためのベルト形態等の用紙搬送装置４５，４６が設けられている。さらに、定着装置５と筐体１ａに形成される記録用紙９の排出口との間には、定着装置５から送り出される定着後の記録用紙９を筐体１ａの外部に排出するための用紙排出ロール対４７ａ，４７ｂ等で構成される排紙搬送路が設けられている。
【００２３】
＜画像形成装置の基本的な動作＞
次に、画像形成装置１による基本的な画像形成動作について説明する。ここでは、画像形成部２における上記４つの作像装置１０（Ｙ，Ｍ，Ｃ，Ｋ）を使用して、４色（Ｙ，Ｍ，Ｃ，Ｋ）のトナー像を組み合わせて構成されるフルカラー画像を形成するときの画像形成動作を代表して説明する。
【００２４】
画像形成装置１は、制御装置３が画像形成動作（プリント）の要求指令を受けると、まず、画像形成手段２の各作像装置１０（Ｙ，Ｍ，Ｃ，Ｋ）において、各感光ドラム１１が矢印Ａで示す方向に回転し始めた後、各帯電装置１２が各感光ドラム１１の周面を所要の極性（実施の形態１ではマイナス極性）及び電位にそれぞれ帯電させる。続いて、露光装置１３が、帯電後の感光ドラム１１の周面に対して、画像形成装置１に入力される画像の情報を各色成分（Ｙ，Ｍ，Ｃ，Ｋ）に変換して得られる画像の信号に基づく光を照射し、その周面に所要の電位からなる各色成分の静電潜像をそれぞれ形成する。
【００２５】
続いて、各現像装置１４（Ｙ，Ｍ，Ｃ，Ｋ）が、感光ドラム１１に形成された各色成分の静電潜像に対し、所要の極性（マイナス極性）に帯電された対応する色（Ｙ，Ｍ，Ｃ，Ｋ）のトナーを現像ロール等からそれぞれ供給して静電的に付着させて現像を行う。この現像により、各感光ドラム１１には、４色（Ｙ，Ｍ，Ｃ，Ｋ）のトナー像が専用に形成される。
【００２６】
続いて、各作像装置１０（Ｙ，Ｍ，Ｃ，Ｋ）の感光ドラム１１上に形成された各色のトナー像が一次転写位置まで搬送されると、一次転写装置１５が、その各色のトナー像を中間転写装置２０の矢印Ｂで示す方向に回転する中間転写ベルト２１の外周面に対して順番に重ね合わせるような状態で一次転写させる。これにより、中間転写ベルト２１に多重のトナー像が一次転写される。一次転写が終了した各作像装置１０では、ドラム清掃装置１７が一次転写後の感光ドラム１１の周面を清掃する。
【００２７】
続いて、中間転写装置２０では、中間転写ベルト２１の回転により一次転写された多重のトナー像を保持して二次転写位置まで搬送する。一方、給紙装置４０では、作像動作に合わせて所要の記録用紙９を給紙搬送路に送り出す。給紙搬送路では、レジストロールとしての用紙搬送ロール対４３ｃが記録用紙９を転写時期に合わせて二次転写位置に送り出して供給する。
【００２８】
二次転写位置においては、二次転写装置２５が、中間転写ベルト２１上の多重のトナー像を記録用紙９に一括して二次転写させる。また、二次転写が終了した中間転写装置２０では、ベルト清掃装置２７が、二次転写後の中間転写ベルト２１の外周面を清掃する。
【００２９】
続いて、トナー像が二次転写された記録用紙９は、中間転写ベルト２１から剥離された後に用紙搬送装置４６，４６により定着装置５まで搬送される。定着装置５では、後述するように必要な定着処理（加熱及び加圧）をして未定着のトナー像を記録用紙９に定着させる。最後に、定着が終了した後の記録用紙９は、その片面への画像の形成を行うだけの画像形成動作のときは、排紙搬送路を通して例えば筐体１ａの外部に配置される図示しない排出収容部にむけて排出される。
【００３０】
以上の画像形成動作により、４色のトナー像を組み合わせて構成されるフルカラー画像が形成された記録用紙９が出力される。
【００３１】
＜定着装置の構成＞
次に、定着装置５について説明する。
【００３２】
定着装置５は、図２から図４等に示されるように、無端状のベルト部材としての定着ベルト５１と、定着ベルト５１の内周面に接触するよう固定した状態で配置される固定部材（固定パッド）５２と、定着ベルト５１の内周面に接触して定着ベルト５１を固定部材５２と協働して回転可能に支持する内部支持ロール５３，５４ａ〜５４ｃと、定着ベルト５１の外周面に接触して定着ベルト５１を固定部材５２及び内部支持ロール５３，５４ａ〜５４ｃと協働して回転可能に支持する外部支持ロール５５と、定着ベルト５１を内部支持ロール５３及び外部支持ロール５５を介してそれぞれ加熱する加熱手段の一例としてのハロゲンヒータ５６，５７と、定着ベルト５１を固定部材５２に押し付けて未定着トナー像ＭＴが形成された記録用紙９を通過させる定着処理部ＦＮを形成する加圧部材としての加圧ロール５８とを、少なくとも備えている。定着処理部ＦＮは、固定部材５２に支持される定着ベルト５１の部分と加圧ロール５８とが接触して形成される接触部分（ニップ）であり、その接触部において未定着のトナー像ＭＴを記録用紙９に定着させるための処理（加圧及び加熱）を行う部位である。
【００３３】
定着ベルト５１は、例えば、無端状ベルトの基材と、基材の表面（外周面）側に形成される弾性層と、弾性層の上に形成される離型層とで構成されている。このうち基材は、ポリイミド樹脂等の材料で形成されるものであり、その厚さが例えば３０〜１００μｍの範囲内で設定される。弾性層は、シリコーンゴム等の弾性部材で形成されるものであり、その厚さが例えば３００〜５００μｍの範囲内で設定される。離型層は、ＰＦＡ（テトラフルオロエチレン−パーフルオロアルキルビニルエーテル共重合体樹脂）等の材料で形成されるものであり、その厚さが例えば１０〜５０μｍの範囲内で設定される。また、定着ベルト５１は、その全体の厚みｔが例えば０．１〜１．０ｍｍの範囲内に納まるよう設定される。さらに、定着ベルト５１は、そのベルト幅Ｗ（図３）が記録用紙９の搬送時における幅の最大値よりも大きい寸法に設定されており、そのベルト長が固定部材５２及び複数の支持ロール５３〜５５に掛け回されて張架されるために必要な寸法に設定されている。
【００３４】
固定部材５２は、固定した状態で配置される角筒状の支持体５２１と、支持体５２１の定着ベルト５１の内周面と接触する面に設けた摺動部材５２２とで構成されている。支持体５２１は、例えば鉄、ステンレス等の金属や、液晶ポリマー等の材料で形成されている。摺動部材５２２は、例えば、四フッ化エチレンとパーフルオロアルコキシエチレンとの共重合体（ＰＦＡ）等のフッ素樹脂の材料で形成されている。また、摺動部材５２２の定着ベルト５１の内周面と接触する部分は、ほぼ平面形状に形成されている。固定部材５２の他の構成については後述する。
【００３５】
内部支持ロール５３は、アルミニウム等からなる円筒状のロールであり、固定部材５２から最も離れた位置に回転自在な状態で配置されている。また、内部支持ロール５３は、その内部空間に加熱手段の一例としてのハロゲンヒータ５６が設けられており、これにより定着ベルト５１をその内周面側から加熱する内部加熱ロールとして構成されている。内部支持ロール５３には、その表面温度を検出する温度検出器６７が設けられている。さらに、内部支持ロール５３は、定着ベルト５１をその内周面側から外周面側にむけて弾性的に押した状態で支持することにより定着ベルト５１に所要の張力を付与する張力付与ロールとしても構成されている。
【００３６】
内部支持ロール５４ａは、定着ベルト５１の固定部材５２に接触する手前の姿勢を保持する進入時保持ロールであり、固定部材５２の定着ベルト５１が接触し始める側の接近した置に回転自在な状態で配置されている。また、内部支持ロール５４ｂは、定着ベルト５１の固定部材５２を通過した後の姿勢を保持する通過後保持ロールであり、固定部材５２の定着ベルト５１が通過した側の接近した位置に回転自在な状態で配置されている。さらに、内部支持ロール５４ｃは、定着ベルト５１の回転走行時における姿勢を矯正する姿勢矯正ロールであり、内部支持ロール５３と内部支持ロール５４ａの間の位置に回転自在な状態で配置されている。
【００３７】
外部支持ロール５５は、アルミニウム等からなる円筒状のロールであり、内部支持ロール５３と内部支持ロール５４ｂの間の位置において定着ベルト５１の外周面に圧接した状態でかつ回転自在な状態で配置されている。また、外部支持ロール５５は、その内部空間に加熱手段の一例としてのハロゲンヒータ５７が設けられており、これにより定着ベルト５１をその外周面側から加熱する外部加熱ロールとして構成されている。また、外部支持ロール５５には、その表面温度を検出する温度検出器６８が設けられている。さらに、外部加熱ロール５５は、駆動モータ等で構成される第１駆動装置６１により所要の時期に回転駆動させられるよう構成されている。これにより、外部加熱ロール５５は、定着ベルト５１の外周面に接触して定着ベルト５１を矢印Ｃで示す方向に回転駆動させることができるようになっている。
【００３８】
定着ベルト５１は、固定部材５２と内部支持ロール５３，５４に掛け回されて内周面側から支持されるとともに、外部支持ロール５５により外周面側から支持されることにより回転可能になっている。また、定着ベルト５１は、張力付与ロールとしての内部支持ロール５３により必要な張力が付与されることにより、固定部材５２を含む複数の支持ロールに張架された状態に保たれている。
【００３９】
加圧ロール５８は、アルミニウム等からなる円筒状のロール基体５８１の外周面に、シリコーンゴム等からなる弾性表面層５８２と、ＰＦＡ等からなる離型層５８３を順次積層した構造のロールである。弾性表面層５８２は、図２や図４に示すように加圧ロール５８が定着ベルト５１を固定部材５２に押し付けて定着処理部ＦＮを形成したときに弾性変形する層であり、このため、例えば、その硬度が固定部材５２の硬度よりも硬い関係になる値に設定されている。加圧ロール５８は、その長さが記録用紙９の搬送時の幅の最大値よりも大きい寸法であればよく、この実施の形態１では定着ベルト５１の幅Ｗよりも少し狭い幅に設定されている。
【００４０】
また、加圧ロール５８は、固定部材５２と向き合う位置に回転自在に支持されるとともに、加圧ロール５８を次の２つの位置のいずれか一方に変位させる変位機構６３により支持されている。変位機構６３の変位させる２つの位置は、図２に示すように加圧ロール５８を定着ベルト５１に押し当てて上記定着処理部ＦＮを形成する第１の位置Ｐ１と、図５に示すように加圧ロール５８を定着ベルト５１から離間させる第２の位置Ｐ２である。第１の位置Ｐ１は、換言すれば加圧ロール５８が固定部材５２に支持される定着ベルト５１に押し当てられる圧接位置である。第２の位置Ｐ２は、換言すれば加圧ロール５８が、定着ベルト５１との接触状態が無くなる離間位置である。
【００４１】
変位機構６３としては、例えば、加圧ロール５８を回転自在に支持する支持フレームをカム等の変位駆動手段により変位させる仕組みのものが適用される。なお、加圧ロール５８は、画像形成部２による画像形成動作が実行され、その画像形成動作の一工程としての定着動作が実行される時期に第１の位置（圧接位置）Ｐ１に変位させられるが、それ以外の時期には、後述する例外の場合を除いて原則として第２の位置（離間位置）Ｐ２に変位させられる。
【００４２】
さらに、加圧ロール５８は、加圧機構６４により固定部材５２にむけて所要の圧力Ｆが付与されるようになっている（図３）。加圧機構６４としては、バネ部材等を用いて構成されるものが適用され、また、変位機構６３と組み合わせて機能するように構成される。また、加圧ロール５８は、駆動モータ等で構成される第２駆動装置６２により所要の時期に回転駆動させられるよう構成されている。これにより、加圧ロール５８は、前記第１の位置Ｐ１に変位しているときに、固定部材５２に押し付けられている定着ベルト５１の外周面に接触して回転駆動することで、定着ベルト５１を矢印Ｃで示す方向に回転させることができるようになっている。
【００４３】
また、定着装置５は、図２に示されるように、定着処理部ＦＮの用紙導入側の近傍位置に、未定着のトナー像ＭＴを保持する記録用紙９を定着処理部ＦＮの入口にむけて案内する導入案内部材６５が設けられている。また、定着処理部ＦＮの排出側の近傍位置に、定着後の記録用紙９を定着処理部ＦＮの出口から排出させた後に案内する排出案内部材６６が設けられている。排出案内部材６６のうち加圧ロール５８に近い側に配置される下部案内部材６６ｂは、定着処理部ＦＮの出口から排出される記録用紙９を加圧ロール５８の外周面から剥離させる先細り形状の剥離爪が加圧ロール５８の外周面に軽く接触した状態で設けられている。さらに、定着ベルト５１の内周面側には、固定部材５２に接触して通過する際の摩擦抵抗を低減させるため、その内周面に対して潤滑剤を塗布する塗布装置６９が設けられている。
【００４４】
＜定着装置の基本的な動作＞
次に、定着装置５の基本的な動作について説明する。
【００４５】
定着装置５は、画像形成装置１の主電源が投入されると、それに伴い定着装置５にも必要な電力が供給されてウォームアップ動作を開始する。
【００４６】
定着装置５のウォームアップ動作は、図５に示すように、変位機構６３が作動して加圧ロール５８を定着ベルト５１から離間させる第２の位置Ｐ２に変位させた状態に保ったうえで、ハロゲンヒータ５６，５７が作動して内部加熱ロール５３及び外部加熱ロール５５を加熱することで定着ベルト５１を間接的に加熱することから始められる。
【００４７】
続いて、制御装置３が、温度検出器６７，６８でそれぞれ検出される内部加熱ロール５３及び外部加熱ロール５５の各表面温度が予め定める暫定温度Ｓｘ以上になるまでを検知し、その各表面温度が暫定温度Ｓｘ以上になったことが確認された後に、変位機構６３を作動させて加圧ロール５８を第１の位置（圧接位置）Ｐ１に変位させるとともに、第１駆動装置６１及び第２駆動装置６２をそれぞれ作動させて外部（加熱）支持ロール５５及び加圧ロール５８を回転駆動させる。上記暫定温度Ｓｘについては、例えば、定着ベルト５１が加熱によりその加熱の前よりも柔らかい状態になるために必要な温度に設定される。
【００４８】
これにより、定着ベルト５１は、暫定温度Ｓｘまで加熱された後、加圧ロール５８により固定部材５２に押し付けられた状態になり（図２参照）、また外部（加熱）支持ロール５５と加圧ロール５８の回転駆動により回転動力が伝達されて矢印Ｃで示す方向に回転し始める。この結果、定着ベルト５１は、回転して複数の支持ロール５３〜５５と固定部材５２をそれぞれ通過しながら周回移動するとともに、内部（加熱）支持ロール５３と外部（加熱）支持ロール５５を通過する際にベルト内周面及び外周面からそれぞれ加熱されることになり、ベルト全周にわたって加熱され始める。
【００４９】
その後、制御装置３は、温度検出器６７，６８でそれぞれ検出される内部加熱ロール５３及び外部加熱ロール５５の各表面温度が予め定める目標温度Ｓｎ以上になるまでを検知し、その各表面温度が目標温度Ｓｎ以上になったことが確認された後に、定着動作又は待機動作に移行する。このとき、ウォームアップ動作の際にすでにプリント動作が要求されている場合にはウォームアップ動作に続いて定着動作に移行し、そのプリント動作が要求されていない場合には待機動作に移行する。目標温度Ｓｎは、ウォームアップ動作において最終的に要求される加熱温度であり、例えば１５０〜２００℃に設定される。
【００５０】
以上により、定着装置５のウォームアップ動作が終了する。このウォームアップ動作の実行により、定着装置５は、その定着ベルト５１が少なくとも定着動作可能な程度の温度まで加熱された状態に保たれる。なお、ウォームアップ動作の際にプリント動作が要求されていない場合は、例えば、ウォームアップ動作中において圧接位置に変位させてから所定の時間が経過した後に、加圧ロール５８を第１の位置（圧接位置）Ｐ１から第２の位置（離間位置）Ｐ２に変位させる。
【００５１】
また、定着装置５は、画像形成装置１（画像形成部２）がプリント動作の要求を受けると、そのプリント動作の一工程である定着動作が実行される。
【００５２】
定着動作の際には、制御装置３の制御動作により、ハロゲンヒータ５６，５７の加熱動作を温度検出器６７，６８からの検出温度に基づいてＯＮ／ＯＦＦ制御する。つまり、内部加熱支持ロール５３及び外部加熱支持ロール５５の表面温度ひいては定着ベルト５１の表面温度が定着温度の許容範囲に納まって保たれるようにハロゲンヒータ５６，５７の加熱動作がＯＮ／ＯＦＦ制御（加熱又は加熱解除の制御）される。
【００５３】
続いて、制御装置３の制御動作により、変位機構６３を作動させて加圧ロール５８を第２の位置（離間位置）Ｐ２から第１の位置（圧接位置）Ｐ１に変位させるとともに、第２駆動装置６２を作動させて加圧ロール５８を回転駆動させる。定着動作の際には、第１駆動装置６１を作動させず、外部加熱支持ロール５５を回転自在な状態にしておく。
【００５４】
これにより、定着装置５では、図２や図４に示すように、加圧ロール５８が定着ベルト５１を固定部材５２に押し付けて定着処理部ＦＮを形成した状態になる。この際、加圧ロール５８の弾性層５８２は、固定接触部５２と接触して通過する部分が食い込んだ状態に弾性変形する。また、定着装置５では、定着ベルト５１がそのベルト外周面に接触する加圧ロール５８から回転動力を伝達されて矢印Ｃで示す方向に回転する。この際、外部加熱支持ロール５５は、回転駆動しておらず回転自在になっており、定着ベルト５１に追従して回転する。このため、定着動作の際は、定着ベルト５１は、加圧ロール５８の回転動力のみを受けて矢印Ｃで示す方向に所要の速度で回転することになる。
【００５５】
続いて、制御装置３は、温度検出器６７，６８でそれぞれ検出される内部加熱ロール５３及び外部加熱ロール５５の各表面温度が予め定める定着温度の許容範囲の下限温度Ｓｆmin以上になるまでを検知し、その各表面温度が定着温度の下限温度Ｓｆmin以上になっていることが確認されると、未定着トナー像が形成（二次転写）された記録用紙９が、定着処理部ＦＮに導入されて定着処理が実行される。
【００５６】
このとき、未定着トナー像ＭＴが形成された記録用紙９は、下部の導入案内部材６５ｂに誘導されて定着処理部ＦＮである定着ベルト５１と加圧ロール５８の間の接触部を通過する。この定着処理部ＦＮを通過する際に、加熱及び加圧の処理を受けて未定着トナー像が記録用紙９に定着される。定着が終了した記録用紙９は、定着処理部ＦＮから排出される。詳しくは、記録用紙９は、定着処理部ＦＮを通過した直後の定着ベルト５１と加圧ロール５８の双方から剥離された後、排出案内部材６６に誘導されて排出される。
【００５７】
以上により定着動作が終了する。なお、定着装置５は、すべての定着動作が終了した場合には、変位機構６３を作動させて加圧ロール５８を第１の位置（圧接位置）Ｐ１から第２の位置（離間位置）Ｐ２に変位させた後、待機状態に移行する。
【００５８】
＜定着装置の詳細な構成＞
そして、定着装置５は、図４や図６等に示されるように、固定部材５２を、定着ベルト５１を介して加圧ロール５８と接触する接触部分５２ａの加圧ロール５８の回転方向Ｄにおける中心（位置）ＴＰが、加圧ロール５８の回転中心（点）５８ｃよりも定着処理部ＦＮの入口側にずれた位置に存在するよう配置されている。
【００５９】
ここで、固定部材５２の定着ベルト５１を介して加圧ロール５８と接触する接触部分５２ａは、ほぼ定着処理部ＦＮと一致する部分である。この固定部材５２の中心（位置）ＴＰは、加圧ロール５８が（定着ベルト５１を介して）固定部材５２に接触し始める接触開始位置ＳＰと（定着ベルト５１を介しての）固定部材５２との接触から離れる接触終了位置ＥＰとの間の寸法（長さ）Ｅにおける中央位置になる。このときの寸法Ｅは、定着処理部ＦＮの加圧ロール５８の回転方向Ｄにおける寸法（ニップ幅）とほぼ一致するものである。ちにみに、固定部材５２の上記接触部分５２ａに連続して定着処理部ＦＮの入口側になる入口角部５２ｂ及び定着処理部ＦＮの出口側になる出口角部５２ｃは、そのいずれも滑らかな曲面で形成されている。図４中のＦＮＯＵＴは、定着処理部ＦＮの出口側を示す。
【００６０】
つまり、固定部材５２は、上記接触開始位置ＳＰと上記接触終了位置ＥＰを結ぶ直線に対する垂線のうち中心ＴＰを通る垂線ＰＬが、加圧ロール５８の回転中心５８ｃよりも定着処理部ＦＮの入口側（ＦＮＩＮ）に所定の寸法（ずれ量）ＧＳだけずれた位置になるよう配置されている。また、固定部材５２の上記ずれ量ＧＳについては、加圧ロール５８の径や、定着処理部ＦＮの圧力等の条件によって少し異なるが、１．６〜２．４ｍｍの範囲内に設定することが好ましい。
【００６１】
これにより、この定着装置５においては、固定部材５２の上記接触部分５２ａのうち定着処理部ＦＮの出口側（ＦＮＯＵＴ）になる部分（後方部）が加圧ロール５８（の弾性層５８２）に相対的に強く押し付けられた状態になり、定着処理部ＦＮの圧力（ニップ圧力）のうち定着処理部ＦＮの出口側（ＦＮＯＵＴ）の部位における圧力がそれ以外の部位の圧力に比べて相対的に上昇した状態になる。この結果、定着装置５では、少なくとも、定着処理部ＦＮを通過して排出されるときの定着後の被記録材９が定着ベルト５１の外周面から安定して剥離されるようになる。このため、定着装置５では、定着後の被記録材９に対する十分な剥離性能が得られるので、定着動作が良好に行われる。
【００６２】
また、実施の形態１に係る定着装置５では、図４等に示すように、固定部材５２を、その定着ベルト５１を介して加圧ロール５８と接触するほぼ平面状の接触部分５２ａが、水平方向（矢印Ｘに沿う方向）に対して定着処理部ＦＮの入口側（ＦＮＩＮ）を持ち上げるように所定の角度だけ斜めに傾いた状態で配置されている。これにより、定着対象の未定着トナー像ＭＴを保持する記録用紙９が定着処理部ＦＮに導入されやすいようになっている。
【００６３】
＜評価試験＞
以下、この定着装置５を用いて行った評価試験について説明する。
【００６４】
評価試験は、固定部材５２における接触部分５２ａの中心ＴＰの加熱ロール５８の回転中心５８Ｃに対するずれ量ＧＳを図７に示す値に変更したときに、定着処理部ＦＮを通過して排出されるときの定着後の記録用紙９の剥離性能とその記録用紙９の反り変形（カール）との状況について調べた。
【００６５】
定着ベルト５１としては、ポリアミド樹脂からなる厚さ８０μｍの無端状ベルトの基材の外周面に、シリコーンゴムからなる厚さ４００μｍの弾性層と、テトラフルオロエチレン・パーフルオロアルキルビニルエーテル共重合体（ＰＦＡ）からなる厚さ５０μｍの離型層とをこの順に形成したものを使用した。定着ベルト５１の幅Ｗは３５０ｍｍとし、その長さ（周長）は３００ｍｍとした。また、定着ベルト５１には、１０ｋｇｆ（≒１００Ｎ）の張力を付与した。
【００６６】
固定部材５２としては、鉄からなる直方体状の形状のものを使用した。固定部材５２の定着ベルト５１と接触する面部分は、図６に示すように、前記した寸法（ニップ幅）Ｅが１２ｍｍとなるほぼ平面状の接触部分５２ａと、その接触部分５２の連続する曲面状の入口側角部５２ｂ及び出口側角部５２ｃを有する形状に形成されている。入口側角部５２ｂは曲率半径ｒ2（ｍｍ）が約８ｍｍとなる曲面とし、出口側角部５２ｃは曲率半径ｒ3（ｍｍ）が約４．０ｍｍとなる曲面とした。そして、固定部材５２は、そのずれ量ＧＳが図７に示す各値になるようそれぞれ設置状態を変更したものを用意した。ちなみに、各固定部材５２は、その平面状の接触部分５２ａの水平方向とのなす角度（仰角）が約３°となる傾いた姿勢で設置した。
【００６７】
加圧ロール５８としては、鉄からなる直径４０ｍｍφ、厚さ（肉厚）１０ｍｍの円筒状のロール基体５８１の外周面に、シリコーンゴムからなる厚さ５ｍｍの弾性層５８２と、ＰＦＡからなる厚さ５０μｍの離型層５８３（チューブ状に成形したものを被覆した）をこの順に形成したものを使用した。加圧ロール５８は、その両端部の直径が中央部の直径よりも大きい値になるフレア形状になっている。この加圧ロール５８の軸方向における形状の設定に伴い、固定部材５２の軸方向における形状についても、加圧ロール５８の軸方向における形状に合わせるように、その軸方向の両端部の厚さが中央部の厚さよりも少し薄くなる形状にした。加圧ロール５８は、第１の位置（圧接位置）Ｐ１に変位させて定着処理部ＦＮを形成する際に、その圧力（ニップ圧力）が最大で４．０ｋｇｆ／ｃｍ2（≒４０Ｎ／ｃｍ2）になる圧力を付与した。加圧ロール５８の弾性層５８２におけるゴム硬度は、固定部材５２の各ずれ量ＧＳごとに定着処理部ＦＮの幅寸法Ｅが常に１２ｍｍに保たれるように調製した。ちなみに、ずれ量ＧＳが０ｍｍのときのゴム硬度は、ＪＩＳ（日本工業規格）準拠のアスカーＣで３０°とし、ずれ量ＧＳが４ｍｍのときのゴム硬度はＪＩＳ準拠のアスカーＣで３５°とした。
【００６８】
定着動作は、定着ベルト５１を約３５０ｍｍ／秒の速度で回転させるとともに、内部加熱ロール５３及び外部加熱ロール５５により定着ベルト５１を約１６０℃の定着可能温度に加熱させる条件下で行った。
【００６９】
剥離性能については、画像形成装置１の画像形成部２により記録用紙９の片面に、ブラック色のトナー（富士ゼロックス社製：Color1000Press用のトナー）で付着量が１０ｇ／ｃｍ2になる試験画像（全面画像）を用紙先端側に所定長さ（０、１、２、３、４、５ｍｍのいずれか）の余白部が存在するように形成した後、定着装置５による定着を行い、そのときに記録用紙９が定着ベルト５１の外周面から良好に剥離するときの先端余白部の最小の長さを調べた。この試験は、温度２０℃、湿度５０％ＲＨの環境下で行った。また、このときの記録用紙９としては、Ａ４判サイズのコート紙（王子製紙社製：トップコート。坪量６４ｇｓｍ）を温度２８℃、湿度８５％ＲＨの環境下に２４時間放置して含水処理させた状態のものを（横送り状態で）使用した。
【００７０】
反り変形については、画像形成装置１の画像形成部２により記録用紙９の片面に上記トナーで付着量が同じく１０ｇ／ｃｍ2になる試験画像（全面画像）を２ｍｍの先端余白が存在するように形成した後、定着装置５による定着を行って排紙トレイに収容させたとき、その排紙トレイへの収容状態（良否）を調べ、次の基準で評価した。この試験は、温度３０℃、湿度８０％ＲＨの環境下で行った。また、このときの記録用紙９としては、上記剥離性能に関する試験で使用した同種のものを、前記含水処理しない状態で使用した。
○：定着装置５と排紙トレイとの間で反り変形修正装置（デカーラー）によるカー      ル矯正処理を施さずに連続した収容が可能である（カール矯正不要な場合）。
△：反り変形修正装置によるカール矯正処理をすれば連続した収容可能である。
×：反り変形修正装置によるカール矯正処理をしても連続した収容が不可能である
（例えば、先に収容された用紙が後続の用紙に押されてずれたり落下する）。
【００７１】
また、この試験では、ずれ量ＧＳを異ならせたときの各定着装置５の定着処理部ＦＮにおける圧力（ニップ圧力）を調べた。このときの圧力は、図７に示す定着処理部ＦＮの入口から各距離だけ離れた位置での各圧力を、圧力測定機（ニッタ社製：タクタイセンサー）により測定したものである。
【００７２】
上記剥離性能及び反り変形の評価結果を図６に示す。また、上記ニップ圧力の測定結果については、表７に併せて示すとともに、図８にグラフ形式で示した。なお、固定部材５２をずれ量ＧＳが０ｍｍになるよう設定した場合においてニップ入口からの距離が６．０ｍｍのときのニップ圧力は、４．０ｋｇｆ／ｃｍ2であった。
【００７３】
図７に示す結果から、固定部材５２における接触部分５２ａの中心ＴＰのずれ量ＧＳを大きくする程、剥離性能を向上させることができる（先端余白部の長さを短くする又はゼロにすることができる）ことがわかる。また、この定着装置５においては、剥離性能を良好に保ち、しかも用紙の反り変形を少なくできるようにする（先端余白部の長さを短く又はゼロにする）という観点からすると、固定部材５２における接触部分５２ａの中心ＴＰのずれ量ＧＳを０．８ｍｍ以上かつ２．４ｍｍ以下の値に設定することが好ましい。
【００７４】
［実施の形態２］
図９及び図１０は、実施の形態２に係る定着装置を示すものである。
【００７５】
実施の形態２に係る定着装置５Ｂは、無端状のベルト部材としての定着ベルト５１と、定着ベルト５１の内周面に接触するよう固定した状態で配置される固定部材５２と、定着ベルト５１の内周面に接触して定着ベルト５１を固定部材５２と協働して回転可能に支持する第１内部支持ロール５３及び第２内部支持ロール５４と、定着ベルト５１を２つの内部支持ロール５３，５４を介してそれぞれ加熱する加熱手段の一例としてのハロゲンヒータ５６，５７と、定着ベルト５１を固定部材５２に押し付けて未定着トナー像ＭＴが形成された記録用紙９を通過させる定着処理部ＦＮを形成する加圧ロール５８とを、少なくとも備えている。
【００７６】
つまり、この定着装置５Ｂは、実施の形態１に係る定着装置５において定着ベルト５１をその外周面から加熱する外部加熱ロール５３を適用した形式に代えて、定着ベルト５１をその内周面から加熱する内部加熱ロール５６，５７を適用する形式に変更し、それ以外については実施の形態１に係る定着装置５と同じ構成からなるものである。この関係で図９及び図１０において実施の形態１に係る定着装置５と共通する構成部分に対しては同じ符号を付し、その説明を必要な場合以外は省略している。
【００７７】
上記１つの内部支持ロール５３は、アルミニウム等からなる円筒状のロールであり、定着ベルト５１が固定部材５２に接触する手前側になる位置に回転自在な状態で配置されている。また、内部支持ロール５３は、その内部空間にハロゲンヒータ５６が設けられており、これにより定着ベルト５１をその内周面側から加熱する内部加熱ロールとして構成されている。また、内部支持ロール５３には、その表面温度を検出する温度検出器６７が設けられている。さらに、内部支持ロール５３は、駆動モータ等で構成される第１駆動装置６１と接続されて回転駆動するようになっており、これにより定着ベルト５１の外周面に接触して定着ベルト５１を矢印Ｃで示す方向に回転駆動させる駆動ロールとして構成されている。
【００７８】
上記もう１つの内部支持ロール５４は、アルミニウム等からなる円筒状のロールであり、定着ベルト５１が固定部材５２を通過した後の所定の位置に回転自在な状態で配置されている。また、内部支持ロール５４は、その内部空間にハロゲンヒータ５７が設けられており、これにより定着ベルト５１をその内周面側から加熱する内部加熱ロールとして構成されている。さらに、内部支持ロール５４は、定着ベルト５１をその内周面側から外周面側にむけて弾性的に押した状態で支持することにより所要の張力を付与する張力付与ロールとしても構成されている。
【００７９】
定着ベルト５１は、固定部材５２と内部支持ロール５３，５４に掛け回されて内周面側からほぼ逆三角の形態になるよう支持されることにより回転可能になっている。また、定着ベルト５１は、張力付与ロールとしての内部支持ロール５４により必要な張力が付与されることにより、固定部材５２を含む２つの内部支持ロール５３，５４に張架された状態に保たれている。さらに、この定着装置５Ｂにおける基本的な動作（ウォームアップ動作及び定着動作など）は、定着ベルト５１が２つの内部加熱ロール５３，５４で加熱される点や定着ベルト５１がウォームアップ動作時に内部支持ロール５３の回転動力で回転させられる等の点で相違することを除けば、実施の形態１に係る定着装置５の場合とほぼ同様に行われる。ちなみに、定着ベルト５１については、その周長が、実施の形態１における定着ベルト５１の周長よりも短い点で相違する。
【００８０】
また、この定着装置５Ｂにおいても、実施の形態１に係る定着装置５の場合と同様に、固定部材５２を、定着ベルト５１を介して加圧ロール５８と接触する接触部分５２ａの加圧ロール５８の回転方向Ｄにおける中心ＴＰが、加圧ロール５８の回転中心５８ｃよりも定着処理部ＦＮの入口側にずれた位置に存在するよう配置されている（図４等参照）。なお、定着装置５Ｂでは、図９に示すように、固定部材５２を、その定着ベルト５１を介して加圧ロール５８と接触するほぼ平面状の接触部分５２ａが、水平方向（矢印Ｘに沿う方向）と平行する状態で配置しているが、実施の形態１に係る定着装置５の場合と同様に、固定部材５２を、その定着処理部ＦＮの入口側（ＦＮＩＮ）を持ち上げるように所定の角度だけ斜めに傾いた状態で配置してもよい（図４等参照）。
【００８１】
そして、定着装置５Ｂにおいても、固定部材５２が前記したような状態で配置されるという構成を有していることにより、実施の形態１に係る定着装置５の場合と同様に、少なくとも、定着処理部ＦＮを通過して排出されるときの定着後の被記録材９が定着ベルト５１の外周面から安定して剥離されるようになり、良好な定着を行うことができる。
【００８２】
［実施の形態３］
図１１及び図１２は、実施の形態３に係る定着装置を示すものである。
【００８３】
実施の形態３に係る定着装置５Ｃは、定着ベルト５１を複数の支持ロールに回転可能に支持するとともにその支持ロールの一部を加熱ロールとして構成することに代えて、定着ベルト５１をその内周面に接触して加熱するように配置される加熱板５９で支持する構成に変更し、それ以外については実施の形態１に係る定着装置５と同じ構成からなるものである。この関係で図１１及び図１２において実施の形態１に係る定着装置５と共通する構成部分に対しては同じ符号を付し、その説明を必要な場合以外は省略している。
【００８４】
加熱板５９は、例えば、上面が少なくとも円弧状の基板５９ａの上面に絶縁層を介して発熱層５９ｂを設けた面状発熱体である。加熱板５９は、温度検出器６８により検出される温度に基づいて発熱層５９ｂの発熱温度を調整し、定着ベルト５１を所要の温度（例えば１５０〜２００℃）に加熱する。また、加熱板５９は、定着ベルト５１の内面に所要の荷重（例えば１０ｋｇｆ）で圧接するよう図示しない加圧手段（加圧バネなど）により加圧されており、これにより定着ベルト５９を固定部材５２と協働して張架した状態に保っている。基板５９ａとしては、例えば全体が円弧形状からなる所要の厚さ（例えば１ｍｍ程度）の部材が使用される。発熱層５９ｂとしては、例えば所定の電気抵抗に調製されたポリイミド層で構成し、そのポリイミド層に図示しない給電装置から通電することによりジュール発熱させるものが使用される。
【００８５】
定着ベルト５１は、固定部材５２と加熱板５９に掛け回されて内周面側からほぼ楕円形の形態になるよう支持されることにより回転可能になっている。また、この定着装置５Ｃにおける基本的な動作（ウォームアップ動作及び定着動作など）は、定着ベルト５１が加熱板５９で加熱される点や定着ベルト５１がウォームアップ動作時に回転しない等の点で相違することを除けば、実施の形態１に係る定着装置５の場合とほぼ同様に行われる。ちなみに、定着ベルト５１については、その周長が、実施の形態１、２における定着ベルト５１の周長よりも更に短くすることができる点で相違する。
【００８６】
また、この定着装置５Ｃにおいても、実施の形態１に係る定着装置５の場合と同様に、固定部材５２を、定着ベルト５１を介して加圧ロール５８と接触する接触部分５２ａの加圧ロール５８の回転方向Ｄにおける中心ＴＰが、加圧ロール５８の回転中心５８ｃよりも定着処理部ＦＮの入口側にずれた位置に存在するよう配置されている（図４等参照）。なお、定着装置５Ｃでは、図１１に示すように、固定部材５２を、その定着ベルト５１を介して加圧ロール５８と接触するほぼ平面状の接触部分５２ａが、水平方向（矢印Ｘに沿う方向）と平行する状態で配置しているが、実施の形態１に係る定着装置５の場合と同様に、固定部材５２を、その定着処理部ＦＮの入口側（ＦＮＩＮ）を持ち上げるように所定の角度だけ斜めに傾いた状態で配置してもよい（図４等参照）。
【００８７】
そして、定着装置５Ｃにおいても、固定部材５２が前記したような状態で配置されるという構成を有していることにより、実施の形態１に係る定着装置５の場合と同様に、少なくとも、定着処理部ＦＮを通過して排出されるときの定着後の被記録材９が定着ベルト５１の外周面から安定して剥離されるようになり、良好な定着を行うことができる。
【００８８】
［他の実施の形態］
実施の形態１〜３に係る定着装置５Ａ，５Ｂ，５Ｃでは、固定部材５２として、定着ベルト５１を介して加圧ロール５８と接触する接触部分５２ａがほぼ平面形状である場合を例示したが、例えば、図１３に示すように、接触部分５２ａが加圧ロール５８の曲面からなる周面と対応する曲面形状で形成されるよう構成してもよい。
【００８９】
この場合、その固定部材５２の曲面形状からなる接触部分５２ａは、図１４に例示するように、加圧ロール５８の半径とほぼ同じ値の曲率半径ｒ1からなる曲面にすることが好ましい。また、固定部材５２の曲面形状からなる接触部分５２に連続する入口側角部５２ｂ及び出口側角部５２ｃについては、所定の曲率半径ｒ2，ｒ3からなる曲面の形状に形成することが好ましい。
【００９０】
この接触部分５２ａが曲面形状からなる固定部材５２についても、図１３や図１４に示すように、その接触部分５２ａの加圧ロール５８の回転方向Ｄにおける中心ＴＰが、加圧ロール５８の回転中心５８ｃよりも定着処理部ＦＮの入口側に所定のずれ量ＧＳだけずれた位置に存在するよう配置する。
【００９１】
この接触部分５２ａが曲面形状からなる固定部材５２を適用した場合には、実施の形態１に係る定着装置５や上記例示した定着装置５Ｂの場合と同様に、少なくとも定着後の記録用紙９に対する良好な剥離性能が得られることに加え、その定着装置５や定着装置５Ｂのように接触部分５２ａが平面形状からなる固定部材５２を適用した場合に比べて、定着処理部ＦＮを形成する際の加圧ロール５８の弾性層５８２が弾性変形する量（弾性変形量）が少なくなり、弾性層５８２に対する負荷が低減するので、その弾性表面層５８２の耐久性が向上するようになり、良好な定着を長期にわたり行うことが可能になる。
【００９２】
なお、固定部材５２の接触部分５２ａは、その面全体が一定の平面又は曲面である必要がなく、例えば、定着処理部ＦＮの入口側（ＦＮＩＮ）となる部分からその出口側（ＦＮＯＵＴ）となる部分にかけて曲率が異なる複数の曲面部分で構成される接触部分としたり、あるいは、定着処理部ＦＮの長手方向（回転軸方向）において曲率が異なる複数の曲面部分で構成される接触部分としてもよい。
【００９３】
また、実施の形態１〜３に係る定着装置５Ａ，５Ｂ，５Ｃでは、固定部材５２（の内部）にハロゲンヒータ等の加熱手段を設けてもよい。この場合、固定部材５２の定着ベルト５１を介して加圧ロール５８と接触する部分の温度を計測する温度検出手段などを設け、固定部材５２の加熱手段の動作を制御するようにすればよい。また、定着ベルト５１を加熱する加熱手段としては、実施の形態１等で例示したような定着ベルト５１を支持する支持ロールを介して加熱する構成のものに限らず、定着ベルト５１を加熱するだけの機能を有する専用の加熱手段を採用してもよい。
【００９４】
さらに、実施の形態１〜３に係る定着装置５Ａ，５Ｂ，５Ｃでは、加圧ロール５８のみで構成される加圧部材に代えて、例えば、加圧ロール５８を回転駆動可能な押圧ロールとし、その押圧ロールと他の支持ロール等の支持部材とに掛け回して従動回転させる加圧用ベルト部材を含めて構成される加圧部材を適用することができる。
【００９５】
この他、定着装置５，５Ｂを用いる画像形成装置１については、未定着トナー像を記録用紙９等の被記録材に形成する画像形成手段を備えたものであれば、単色画像を形成する画像形成装置であっても、実施の形態１で例示した色や種類の画像以外の画像を形成することができる画像形成装置であっても差し支えない。
【符号の説明】
【００９６】
１  …画像形成装置
２  …画像形成手段
５，５Ｂ…定着装置
９  …記録用紙（被記録材の一例）
５１…定着ベルト（ベルト部材の一例）
５２…固定部材
５２ａ…接触部分（ベルト部材を介して加圧ロールと接触する部分）
５３，５４，５５…支持ロール
５６，５７…ハロゲンヒータ（加熱手段の一例）
５８…加圧ロール（加圧部材の一例）
５８ｃ…回転中心
５８２…弾性層（弾性表面層）
５９…加熱板（加熱手段の一例）
Ｄ  …加圧ロールの回転方向
ＭＴ…未定着トナー像（未定着画像の一例）
ＦＮ…定着処理部
ＦＮＩＮ…定着処理部の入口側
ＴＰ…中心（接触部分の加圧ロールの回転方向における中心）
【図１】
2014228765.tif 000003
【図２】
2014228765.tif 000004
【図３】
2014228765.tif 000005
【図４】
2014228765.tif 000006
【図５】
2014228765.tif 000007
【図６】
2014228765.tif 000008
【図７】
2014228765.tif 000009
【図８】
2014228765.tif 000010
【図９】
2014228765.tif 000011
【図１０】
2014228765.tif 000012
【図１１】
2014228765.tif 000013
【図１２】
2014228765.tif 000014
【図１３】
2014228765.tif 000015
【図１４】
2014228765.tif 000016